(57)【特許請求の範囲】
【請求項１】
水平に指向し棚段の上下所定位置間を昇降可能に設けられる水平部材と、
前記水平部材を上方に付勢し収納物品の落下を防止できる上方の所定高さ位置に付勢支持する付勢手段と、
前記水平部材を収納物品の出し入れに影響しない下方位置で前記付勢手段に抗して係脱自在に係合支持する係合支持機構と、
震動を感知して前記係合支持機構の係合を解く感震手段と、
前記付勢手段および前記係合支持機構を収納するケース部を備え、
前記感震手段は、上下方向の震動を感知すると前記係合支持機構の係合を解く上下方向感震手段を備え、
前記上下方向感震手段は、前記ケース部に収容され、上下方向の震動を感知して上下に振動する錘部と、前記錘部を上下方向に移動可能に支持する支持部材とを備え、
前記係合支持機構は、前記水平部材が固着された端部が上下に傾動自在に前記ケース部に枢支される傾動部材と、前記傾動部材に係脱自在に係合される係合子とを備え、
前記傾動部材が前記係合子に係合されると、前記水平部材は前記付勢手段に抗して下方位置に保持され、
前記錘部が上下に振動して前記係合子に衝突すると、前記傾動部材と係合子の係合が解除されることを特徴とする棚収納物品落下防止装置。
【請求項２】
前記支持部材は、片持ち状の弾性部材であり、
前記錘部は、前記弾性部材の固定側端部と反対側の開放側端部に設けられることを特徴とする請求項１に記載の棚収納物品落下防止装置。
【請求項３】
前記錘部は、前記支持部材が挿通される支持部材挿通孔を有し、
前記支持部材挿通孔に挿通された前記支持部材により、上下方向に移動可能に支持されることを特徴とする請求項１に記載の棚収納物品落下防止装置。
【請求項４】
前記感震手段は、水平方向の震動を感知すると前記係合支持機構の係合を解く水平方向感震手段を備え、前記水平方向感震手段は、棚の震動により搖動する振り子を備え、
前記振り子が揺動して前記係合子に衝突すると、前記傾動部材と前記係合子の係合が解除されることを特徴とする請求項１ないし請求項３のいずれかに記載の棚収納物品落下防止装置。
【発明の詳細な説明】
【技術分野】
【０００１】
本発明は、地震等の震動によって物品収納棚に収納されている物品が落下することを防止する棚収納物品落下防止装置に関する。
【背景技術】
【０００２】
地震等の震動が発生した際に、書棚等の物品収納棚に収納された書籍等の物品が落下することを防止するために、例えば特許文献１に示されるような棚収納物品落下防止装置がある。この棚収納物品落下防止装置は、感震手段が物品収納棚の震動を感知すると、係合支持機構が作動し、係合支持機構と棚間口に水平に設けられた水平部材との係合が解かれて、水平部材が付勢手段により付勢されて棚間口の所定高さまで上昇し、棚に収納された物品の落下を防止するものである。
【０００３】
この棚収納物品落下防止装置の感震手段は、振り子を用いて棚の振動を感知しているので、主に水平方向の震動を感知するもので、上下方向の震動を感知するものではなかった。そこで例えば特許文献２に開示されるように、水平方向および上下方向の震動を感知して、水平部材を所定高さまで上昇させて物品の落下を防ぐ棚収納物品落下防止装置が考えられた。
【０００４】
特許文献２に開示された棚収納物品落下防止装置では、上下方向の震動を感知する手段として、棚の間口に水平に設けられた水平部材が用いられている。水平部材には、上方へ向かって付勢するバネが取り付けられた昇降部材が連係されており、該昇降部材の上方への移動は、上方が支持軸で揺動自在に支持されるとともに自重で常時垂直に垂下する掛止レバーが、上方から当接されることにより規制されている。
【０００５】
この棚収納物品落下防止装置は、物品収納棚が上下に振動すると、該水平部材が上下方向の震動をうけて上下方向に振動して、水平部材を支持している支持アームが搖動する。該支持アームの後部に設けられた作動片によって、掛止レバーが後方へ揺動されて昇降部材から外れる。すると、昇降部材の上方への移動の規制が解除されて上昇し、昇降部材に連係された支持アームはバネにより上方に向かって付勢されて揺動され、水平部材が棚板よりも上方へ移動して、棚収納物品落下防止装置が作動される。
【先行技術文献】
【特許文献】
【０００６】
【特許文献１】特許２８２６８１１号公報
【特許文献２】特開２０１４−６８９９８号公報
【発明の概要】
【発明が解決しようとする課題】
【０００７】
しかし、特許文献２に開示されている棚収納物品落下防止装置では、上下方向の震動を感知する手段として、棚間口前に配設された水平部材が用いられており、この水平部材は外部に露出しており、箱体等の収容物の内部に収容されていないので、物品を棚へ出し入れする際に、作業者や物品が水平部材に触れて、水平部材が上方へ向かって押されてわずかに上昇してしまうと、支持アームに連係された感震装置が作動してしまい、水平部材が棚間口の棚板よりも上方に上昇して棚収納物品落下防止装置が作動するという誤作動が発生する不都合があった。また、このような誤作動を防ぐために、感震装置の感度を下げると、地震によって震動が発生しても、棚収納物品落下防止装置が作動しなくなるという不都合がある。
【０００８】
また、昇降部材は、その上面中央付近においてバネにより上方に向かって付勢されており、さらに上面の後方端付近において、係止レバーにより上方から押さえられることにより、移動が規制されており、昇降部材は、回転モーメントが働いた不安定な状態で規制されているので、わずかに水平部材が揺動して掛止レバーが後方へ回動すると、棚収納物品落下防止装置が作動してしまい、また、その感度の調整が難しいという難点があった。
【０００９】
本発明は、かかる難点を克服するために、収納物品の出し入れの際に棚収納物品落下防止装置が作動する誤作動を防止しつつ、上下方向の振動に対して適切な感度に調整することが可能であり、地震の震動を確実に感知して、地震等の揺れに迅速に対応し、収納物品の落下を効果的に防ぐことができる棚収納物品落下防止装置を提供することである。
【課題を解決するための手段】
【００１０】
本発明の棚収納物品落下防止装置は、水平に指向し棚段の上下所定位置間を昇降可能に設けられる水平部材と、前記水平部材を上方に付勢し収納物品の落下を防止できる上方の所定高さ位置に付勢支持する付勢手段と、前記水平部材を収納物品の出し入れに影響しない下方位置で前記付勢手段に抗して係脱自在に係合支持する係合支持機構と、震動を感知して前記係合支持機構の係合を解く感震手段と、前記付勢手段および前記係合支持機構を収容するケース部を備え、前記感震手段は、上下方向の震動を感知すると前記係合支持機構の係合を解く上下方向感震手段を備え、前記上下方向感震手段は、前記ケース部に収容され、上下方向の震動を感知して上下に振動する錘部と、前記錘部を上下方向に移動可能に支持する支持部材とを備え、前記係合支持機構は、前記水平部材が固着された端部が上下に傾動自在に前記ケース部に枢支される傾動部材と、前記傾動部材に係脱自在に係合される係合子とを備え、前記傾動部材が前記係合子に係合されると、前記水平部材は前記付勢手段に抗して下方位置に保持され、前記錘部が上下に振動して前記係合子に衝突すると、前記傾動部材と係合子の係合が解除されることを特徴とするものである。
【００１１】
本発明は、前記したように構成されており、震動を感知する上下方向感震手段はケース部の内部に収容されているので、物品収納棚から物品の出し入れをする際に、作業者や収納物品が上下方向感震手段に触れることがなく、誤作動を防止しつつ、上下方向の震動に対する感度を高めることが可能となり、地震の震動を確実に感知して、収納物品の落下を効果的に防ぐことができる。さらに一般的に地震の震動は、上下方向の震動が先に到達し、その後に水平方向の震動が到達するものである。本発明では上下方向の震動を感度良く感知することができるので、物品の落下に作用しやすい水平方向の震動が到達する前に、上下方向の震動をあらかじめ確実に感知して作動するので、地震等の揺れに迅速に対応し、収納物品の落下を確実に防止することができる。
【００１２】
さらに、地震が発生して物品収納棚が上下方向の震動を受けると、上下方向感震手段の錘部が大きく上下に振動し、上下方向感震手段が係合子に衝突して、傾動部材と係合子の係合が解除されるようになっている。また、物品収納棚の震動が小さく錘部の振幅が所定幅よりも小さい場合では、上下方向感震手段が係合子に衝突することがなく、棚収納物品落下防止装置の誤作動の発生が起こることがない。さらに上下方向感振手段が係合子に半衝突する場合にも、同様に誤作動が発生することがない。また、物品収納棚の震動が大きく錘部の振幅が所定幅よりも大きい場合には、上下方向感震手段が係合子に衝突し、確実に上下方向の震動を感知して、棚収納物品落下防止装置を作動することができる。
【００１３】
前記支持部材を、片持ち状の弾性部材とし、前記錘部を、前記弾性部材の固定側端部と反対側の開放側端部に設けてもよい。
【００１４】
このような構成によれば、錘部は弾性部材により片持ち状に支持されているので、上下方向の震動が所定以上になると、錘部の上下方向の振動がより増幅され、上下方向の震動をさらに感度良く感知するとともに誤作動が防止され、より確実に物品の落下を防ぐことができる。
【００１５】
前記錘部は、前記支持部材が挿通される支持部材挿通孔を有し、
前記支持部材挿通孔に挿通された前記支持部材により、上下方向に移動可能に支持されるようにしてもよい。
【００１６】
このような構成によれば、錘部は、支持部材の挿通孔に挿通されて支持部材に支持されているので、上下方向に震動することができ、上下方向の震動を感知して適切に作動することが可能となる。
【００１７】
前記感震手段は、水平方向の震動を感知すると前記係合支持機構の係合を解く水平方向感震手段を備え、前記水平方向感震手段は、棚の震動により搖動する振り子を備え、前記振り子が揺動して前記係合子に衝突すると、前記傾動部材と係合子の係合が解除されるようにしているので、感震手段を水平方向感震手段に使用することもできる。
【００１８】
このような構成によれば、上下方向の震動が所定以下で感震手段が作動しない場合であっても、水平方向の震動が発生すると、水平方向感震手段により振動を感知するので、感震手段が作動して水平部材が上昇し、上下方向感震手段または水平方向感震手段のどちらか一方の感知でもって、棚に収納された物品の落下をより確実に防止することができる。さらに、振り子により水平方向の震動をより感知することができ、水平方向の震動の大きさに合わせて精度良く感震手段を作動させ、確実に物品の落下を防止することができる。
【発明の効果】
【００１９】
本発明は、水平に指向し棚段の上下所定位置間を昇降可能に設けられる水平部材と、水平部材を上方に付勢し収納物品の落下を防止できる上方の所定高さ位置に付勢支持する付勢手段と、水平部材を収納物品の出し入れに影響しない下方位置で前記付勢手段に抗して係脱自在に係合支持する係合支持機構と、震度を感知して前記係合支持機構の係合を解く感震手段とを備え、感震手段は、上下方向の震動を感知すると前記係合支持機構の係合を解く上下方向感震手段を備えており、上下方向感震手段はケース部の内部に収容されているので、物品収納棚から物品の出し入れをする際に、作業者や収納物が上下方向感震手段に触れることがないので、誤作動を防止しつつ、上下方向の振動に対する感度を高めることが可能となり、地震の震動を確実に感知して、収納物品の落下を効果的に防ぐことができる。さらに、上下方向の震動を感度良く感知することができるので、物品の落下に作用しやすい水平方向の震動が到達する前に、上下方向の震動をあらかじめ確実に感知して作動するので、地震等の揺れに迅速に対応し、棚収納物の落下を確実に防止することができる。
【００２０】
さらに、地震が発生して物品収納棚が上下方向の震動を受けると、上下方向感震手段の錘部が大きく上下に振動し、上下方向感震手段が係合子に衝突して、傾動部材と係合子の係合が解除されるようになっている。また、物品収納棚の震動が小さく錘部の振幅が所定幅よりも小さい場合では、上下方向感震手段が係合子に衝突することがなく、棚収納物品落下防止装置の誤作動の発生が起こることがない。さらに上下方向感震手段が係合子に半衝突する場合にも、同様に誤作動が発生することがない。また、物品収納棚の震動が大きく錘部の振幅が所定幅よりも大きい場合には、上下方向感震手段が係合子に衝突し、確実に上下方向の震動を感知して、棚収納物品落下防止装置を作動することができる。
【図面の簡単な説明】
【００２１】
【図１】本発明の一実施の形態の棚収納物品落下防止装置が取り付けられた物品収納棚の正面図である。
【図２】図１におけるII-II線矢視図である。
【図３】棚収納物品落下防止装置を示す斜視図である。
【図４】棚収納物品落下防止装置の内部構造を示す分解斜視図である。
【図５】棚収納物品落下防止装置の平常状態における箱体の内部構造を示す側面図である。
【図６】上下方向感震部が作動して棚収納物品落下防止装置が落下防止状態となった際の箱体の内部構造を示す側面図である。
【図７】水平方向感震部が作動して棚収納物品落下防止装置が落下防止状態となった際の箱体の内部構造を示す図である。
【図８】棚収納物品落下防止装置を平常状態に戻す経過を示す図である。
【図９】棚収納物品落下防止装置を平常状態に戻す経過を示す図である。
【図１０】他の実施の形態の棚収納物品落下防止装置の内部構造を示す側面図である。
【発明を実施するための形態】
【００２２】
本発明に係る棚収納物品落下防止装置10の一実施の形態について、図１ないし図９に基づいて説明する。図１および図２には、本発明の一実施の形態の棚収納物品落下防止装置10が取り付けられ、例えば書籍等の物品が収納される書棚等の物品収納棚１が示されている。以下、物品収納棚１の間口方向を左右方向とし、奥行き方向を前後方向として説明する。
【００２３】
物品収納棚１は、左右方向に所定間隔を存して前後方向に対となる複数の支柱２が配設され、複数の支柱２は、その上端は天板３により、下端は台座４にて連結されている。左右の隣接する支柱２の間には、棚板５が架け渡され棚段６となっており、これらの支柱２の間は複数の棚段６から構成される棚連７となっている。物品収納棚１の後面は、背板８で覆われている。
【００２４】
各棚連７の上から２段の棚段６には、それぞれ棚収納物品落下防止装置１0が取り付けられている。本物品収納棚１では、棚連７の棚段６のうち、上部の２段の棚段６に、棚収納物品落下防止装置10が取り付けられているが、複数の棚段６のうち所望する棚段６に取り付けても良く、また全ての棚段６に取り付けても良い。
【００２５】
棚収納物品落下防止装置10は、図３および図４に示されるように、左右一対の偏平矩形状の箱体11，11と、該箱体11に傾動自在に支持される傾動部材30と、該傾動部材30に一体に形成され箱体11の前面に縦長に形成された長孔12，12から突出するアーム部32と、一対のアーム部32，32に支持され棚間口に水平に指向し、棚段６の上下所定位置間を昇降可能に設けられる水平部材としての水平バー28とを備えている。
【００２６】
図４および図５に示されるように、一対の箱体11，11のうち、一方の箱体11の内部には、アーム部32が一体に形成された傾動部材30の本体部31と、傾動部材30のアーム部32に支持された水平バー28を収納物品の落下を防止する上方の所定高さ位置になるよう付勢支持する付勢手段としてのスプリング37と、水平バー28を収納物品の出し入れに影響しない下方位置でスプリング37に抗して係脱自在に係合支持する係合支持機構40と、物品収納棚１の震動を感知して係合支持機構40の係合を解く感震部50が設けられている。
【００２７】
箱体11は、略偏平矩形状に形成されており、上下方向に割られた一対の半体11ａ，11ｂが組み合わされたものであり、傾動部材30の本体部31、スプリング37、係合支持機構40および感震部50のケース部としての役割を果たしている。箱体11の前部には、縦長に形成された長孔12が形成されており、一方の半体11ａの長孔12の下方の面は、他方の半体11ｂ側に延出して形成された延出壁11ｃとなっており、他方の半体11ｂの長孔12の下方の面は、延出壁11ｃが延出された長さ分幅が狭く形成されている。箱体11の下方後部には、後方に向けて突出して形成された固定突起部13が設けられており、図５に示されるように、棚板５に取り付けられる固定金具９の挿通孔９ａに挿通されて、箱体11の後部が固定金具９に固定されるようになっている。箱体11の底壁には、内壁面から上方に突出して、後述する係合子41の所定以上の回動を規制する係合子ストッパー部18が形成されている。
【００２８】
図４に示されるように、箱体11の一方の半体11ａの側壁の内側には、他方の半体11ｂに向かって突出して、傾動部材枢支軸14、スプリング掛止軸15、係合子枢支軸16および振り子枢支軸17の軸部14ａ，15ａ，16ａ，17ａがそれぞれ円柱形状に形成されており、他方の半体11ｂの側壁の内側には、これらの軸部14ａ，15ａ，16ａ，17ａを受ける係合突起14ｂ，15ｂ，16ｂ，17ｂが設けられている。
【００２９】
さらに箱体の一方の半体11ａの側壁の四隅にはネジ孔21が設けられ、他方の半体の側壁の四隅にはボス部22が設けられており、半体11ａ，11ｂを合わせて、ネジ23をネジ孔21に挿通してボス部22に螺合することで、半体11ａ，11ｂが一体に組付けられるようになっている。箱体11の両半体11ａ，11ｂの側壁の中央下方には、係合支持機構40の作動状況をチェックするチェック用孔19が設けられている。
【００３０】
箱体11の内部には、その一部が収容される傾動部材30が、揺動可能に取り付けられている。傾動部材30は、図５に示されるように、傾動部材30の水平姿勢における側面視において、略直方体状の本体部31と、該本体部31の前部31ｂから前方に突出したのち屈曲部32ｃで曲げられて下方に向かうように延出して形成されたアーム部32と、本体部31の前部31ｂから上方に向かって延出したスプリング取付部33と、傾動部材30の後下部31ｃに形成された係合部34とを備えている。
【００３１】
傾動部材30の本体部31の後上部31ｄには、枢支軸挿通孔31ａが形成されている。該枢支軸挿通孔31ａに、箱体11に設けられた傾動部材枢支軸14が挿通されて、傾動部材30は、箱体11に揺動可能に支持される。傾動部材30が箱体11に取り付けられると、傾動部材30の本体部31、スプリング取付部33、係合部34、およびアーム部32の一部は、箱体11内に収容される状態となっている。
【００３２】
傾動部材30が箱体11に支持された状態では、アーム部32は箱体11の長孔12から箱体11の前方に突出されている。アーム部32の先端部32ａには、水平バー28が嵌装される水平バー嵌装孔32ｂが設けられている。一対のアーム部32の水平バー嵌装孔32ｂのそれぞれに、水平バー28の両端が嵌装され、下方からネジ29が螺合され、水平バー28は一対のアーム部32に固着されて支持される。
【００３３】
傾動部材30のスプリング取付部33の先端部33ａには、スプリング取付孔33ｂが形成されている。該スプリング取付孔33ｂには、付勢手段としてのスプリング37の一端37ａが掛止されており、スプリング37の他端37ｂは、箱体11に設けられたスプリング掛止軸15に掛止されている。スプリング37は引き伸ばされた状態で取り付けられており、傾動部材30は傾動部材枢支軸14に揺動可能に枢支されているので、傾動部材30は、スプリング37により、図６に示されるようなスプリング取付部33が斜め後ろ上方に回動した傾動姿勢になるように常に付勢されている。
【００３４】
係合支持機構40は、傾動部材30の後下部31ｃに形成された係合部34と、箱体11の内部に揺動可能に枢支された係合子41を備え、係合部34と係合子41が係合されることにより、傾動部材30の揺動が阻止され、傾動姿勢になるよう付勢されている傾動部材30が水平姿勢に維持され、水平バー28はスプリング37の付勢力に抗して下方位置に保持されるようになっている。
【００３５】
傾動部材30の本体部31の後下部31ｃに形成された係合部34は、図５に示されるような傾動部材30の水平姿勢において、本体部31の後面の垂直部34ａと、該垂直部34ａから水平に前方に向かって切り欠かれた第１水平切欠部34ｂと、該第１水平切欠部34ｂの下端から斜め下前方に向かって切り欠かれた第１斜め切欠部34ｄと、該第１斜め切欠部34ｄの前端から水平に向かって切り欠かれた第２水平切欠部34ｅと、該第２水平切欠部34ｅの前端から斜め下前方に切り欠かれた第２斜め切欠部34ｆとが形成されている。
【００３６】
傾動部材30の第１水平切欠部34ｂの下方に位置して、図４に示されるように略同一の厚さで所定形状に形成された係合子41が配設されている。図５に示されるように、係合子41は、本体部42が略直方体に形成されており、該本体部42の上部には枢支軸挿通孔43が設けられている。該枢支軸挿通孔43に、箱体11に設けられた係合子枢支軸16が挿通されて、係合子41は箱体11に対して揺動自在に支持されている。
【００３７】
係合子41の本体部42の上部には、枢支軸挿通孔43よりも上側に位置して、側面視において略半円状に形成された係合支持部44が設けられている。図５に示されるように、傾動部材30の水平姿勢において、傾動部材30の係合支持部44の第１水平切欠部34ｂに、係合子41の係合支持部44が下方から当接されて、係合支持機構40が係合されるようになっている。このような係合支持機構40が係合された状態では、傾動部材30は、スプリング37による付勢力に抗して回動が規制され、水平姿勢が維持される。傾動部材30が水平姿勢をとった状態では、アーム部32の先端部32ａは棚板５の上面よりも下方に位置し、先端部32ａに取り付けられた水平バー28は、棚板５の上面５ａよりも下方で前面５ｂと略同じ高さに位置するようになっている。このように傾動部材30が水平姿勢を取った状態では、棚収納物品落下防止装置10は、水平バー28が棚板よりも下方に位置した平常状態となっており、水平バー28によって、物品収納棚１の収納物の出し入れが妨げられることがない。
【００３８】
係合子41には、本体部42の枢支軸挿通孔43よりも下方に位置して、前方に向けて先細りに延出した上下方向受衝部45が形成されている。後述する感震部50の上下方向感震部51が上下方向の震動を感知すると、該上下方向受衝部45に衝突して、傾動部材30と係合子41との係合が解除されるようになっている。本体部42の下部後面には、後方に突出して下方に向かう水平方向受衝部46が形成されている。後述する感震部50の水平方向感震部60が水平方向の震動を感知すると、該水平方向受衝部46に衝突して、傾動部材30と係合子41との係合が解除されるようになっている。
【００３９】
係合子41には、水平方向受衝部46からさらに下方に延伸して、ストッパー部47が設けられている。係合子41には前方に突出した上下方向受衝部45が設けられているので、係合子41になんら外力が働かない場合には、係合子41は、自重によりストッパー部47が下方に向かうように回動し、ストッパー部47は箱体11の下面から上方に突出して形成された係合子ストッパー部18に当接し、係合子41がそれ以上回動しないように規制される。
【００４０】
棚収納物品落下防止装置10の一方の箱体11の内部には、図４および図５に示されるように、物品収納棚１の震動を感知する感震手段としての感震部50が配設されている。この感震部50は、物品収納棚１の上下方向の震動を感知して係合支持機構40の係合を解く上下方向感震手段としての上下方向感震部51と、物品収納棚１の水平方向の震動を感知して係合支持機構40の係合を解く水平方向感震手段としての水平方向感震部60とを備えている。
【００４１】
上下方向感震部51は、上下方向の震動を感知して上下に振動する所定重量の錘部52と、錘部52を上下方向に移動可能に支持する錘支持部材53を備えている。錘支持部材53は、鋼等の弾性部材からなるが長尺の板状に形成された板バネ部53ａを備えている。錘支持部材53の一端は固定側端部であって、板バネ部53ａに対して略Ｌ字状に固定部53ｂが形成されており、該固定部53ｂにはボルト挿通孔53ｃが設けられている。錘支持部材53は、固定部53ｂのボルト挿通孔53ｃにボルト54が挿通され、箱体11の前面壁部11ｄのうち長孔12より下方に位置して設けられたボルト孔20に螺合されて、片持ち状に箱体11の内部に支持されている。
【００４２】
錘支持部材53の固定側端部の固定部53ｂと反対側の端部の開放側端部53ｄには、所定重量の錘部52が取り付けられている。錘部52は、係合子41の本体部42から前方に延出した上下方向受衝部45の下方に位置するように配設され、錘部52が上下方向に振動して所定振幅以上になると、上下方向受衝部45に衝突するようになっている。
【００４３】
水平方向感震部60は、図４および図５に示されるように、錘部62と、アーム部63とからなっている。錘部62は、略同一厚さの板状の部材で、側面視において、上部62ａが山形に形成され、中間部62ｂが一定の幅をなした長方形に形成され、下部62ｃが中間部62ｂよりも幅広に形成され、下端縁62ｄが円弧状に形成されている。該錘部62の上部の幅方向中心から、アーム部63が上方に延びている。アーム部63の上端部63ａには、左右方向に向かって枢支孔63ｂが設けられている。該枢支孔63ｂには、箱体11の振り子枢支軸17が挿通されており、水平方向感震部60は、箱体11に前後方向に揺動可能に支持されている。振り子61が揺動して所定振幅以上になると、錘部62の下部62ｃの前面壁62ｅは、係合子41の下部後面に設けられた水平方向受衝部46に衝突するようになっている。
【００４４】
平常状態である棚収納物品落下防止装置10が、物品収納棚１が震動を受けて、落下防止状態となる動作について以下詳細に説明する。
【００４５】
物品収納棚１に取り付けられた棚収納物品落下防止装置10は、平常時では、図３の実線で示される状態および図５に示される状態になっている。すなわち、水平バー28は下方に移動されており、係合支持機構40は、係合子41の係合支持部44の上端が、傾動部材30の係合部34の第１水平切欠部34ｂの下面に当接した係合状態となっている。該係合支持機構40の係合により、傾動部材30は、スプリング37により受ける付勢に抗して回動が規制された水平姿勢が維持され、棚収納物品落下防止装置10は平常状態となっている。
【００４６】
物品収納棚１が上下方向の震動を受けると、上下方向感震部51の錘部52が上下に揺れて上下方向に振動を開始する。上下方向感震部51は、錘支持部材53の固定部53ｂにより、箱体11内部に片持ち状に支持されているので、板バネ部53ａが上下に撓んで、板バネ部53ａの開放側端部53ｄに固定された錘部52の振幅が増幅される。錘部52の振幅が所定以上になると、図６に示されるように、係合子41の上下方向受衝部45に、錘部52が下方から衝突して、係合子41は後ろ回りに回動する。係合子41が後ろ回りに回動すると、係合子41の係合支持部44と、傾動部材30の係合部34の第１水平切欠部34ｂとの係合が外れて、係合支持機構40の係合が解除されて、傾動部材30のスプリング37から受ける付勢力による回動を阻止することができなくなり、傾動部材30は、傾動部材枢支軸14を中心としてアーム部32が上方に向かうように回動される。傾動部材30が介楼されると、アーム部32の屈曲部32ｃが、箱体11の前面壁部11ｄのうち長孔12の上に位置する前面壁部11ｄの下端面の開口部端面11ｅに当接され、傾動部材30は所定角度回動されて停止する。
【００４７】
傾動部材30が回動して傾動部材30のアーム部32の先端部32ａが上方に上昇すると、アーム部32の先端部32ａに取り付けられた水平バー28は、棚板５よりも上方に位置するよう移動されて、水平バー28は棚段６の前面の所定高さに位置され、棚収納物品落下防止装置10は落下防止状態となる。このように、上下震動が発生して、上下方向感震部51が検知すると、傾動部材30はスプリング27により即座に回動されて水平バー28が上方に移動するので、水平震動が発生する前に、棚収納物品落下防止装置10は落下防止状態となり、水平震動による物品の飛び出しによる落下を未然に防ぎ、確実に物品の落下を防止することができる。
【００４８】
また、上下方向の震動が所定の大きさに達しない場合等、上下方向感震部51が振動を感知せずに、棚収納物品落下防止装置10が作動しない場合であっても、物品収納棚１が水平方向の震動を受けて、水平方向感震部60が水平方向の震動を感知すると、以下のように棚収納物品落下防止装置10が作動するようになっている。
【００４９】
物品収納棚１が水平方向の震動を受けると、水平方向感震部60の振り子61が振動を開始し、振動が所定幅以上になると、図７に示されるように、振り子61の錘部62の前面壁62ｅが、係合子41の水平方向受衝部46に後方から衝突し、係合子41は後方に向かって回動され、係合支持機構40の係合が解除され、傾動部材30は、傾動部材枢支軸14を中心としてアーム部32が上方に向かうように回動されて傾動状態となり、それに伴い水平バー28は上方へ移動して棚板５よりも上方の位置で停止し、棚収納物品落下防止装置10は落下防止状態となり、物品収納棚１の震動に対する収納物の落下を防ぐことが可能となる。このように棚収納物品落下防止装置10は、上下方向の震動を感知しなくとも、水平方向の震動を感知して落下防止状態となるので、確実に物品収納棚１からの収納物の落下を確実に防ぐことができる。
【００５０】
棚収納物品落下防止装置10が作動して落下防止状態となった後には、以下の作業で平常状態に戻すことができる。水平バー28を下方に押し下げていくと、図８に示されるように、傾動部材30の係合部34の垂直部34ａが係合子41の係合支持部44の前面を後方に向かって押し、係合子41をさらに後方に向かって揺動させる。次に傾動部材30の第１斜め切欠部34ｄと第２水平切欠部34ｅとの角である第１角部34ｇが、係合子41の上下方向受衝部45の上面に当接して係合子41を押し下げる。さらに水平バー28を下方に押し下げると、図９に示されるように、傾動部材30の第２斜め切欠部34ｆと傾動部材30の下縁34ｈとの角である第２角部34ｉが係合子41の上下方向受衝部45の上面に当接して係合子41をさらに押し下げる。その後、係合子41は、図９の二点鎖線で示されるように、上下方向受衝部45の自重により、ストッパー部47が箱体11の係合子ストッパー部18に当接するまで、回動して停止し、水平バー28を離すと、図５に示されるように、係合子41の係合支持部44の上面に傾動部材30の第１水平切欠部34ｂが当接され、棚収納物品落下防止装置10は平常状態となる。
【００５１】
本発明の一実施形態の棚収納物品落下防止装置10は、前記したように構成され、上下方向の震動を感知する上下方向感震部51は、箱体11の内部に収容されているので、物品収納棚１から物品の出し入れをする際に、作業者や収納物が上下方向感震部51に触れることがなく、誤作動を防止しつつ、上下方向の震動に対する感度を高めることが可能となり、地震の震動を確実に感知して、収納物品の落下を効果的に防ぐことができる。さらに一般的に地震の震動は、上下方向の震動が先に到達し、その後に水平方向の震動が到達するものである。本発明では上下方向の震動を感度良く感知することができるので、物品の落下に作用しやすい水平方向の震動が到達する前に、上下方向の震動をあらかじめ確実に感知して作動するので、棚収納物の落下を確実に防止することができる。
【００５２】
また、地震が発生して上下方向感震部51が上下方向の震動を受けると、錘部52が大きく上下に振動して、上下方向感震部51が係合子41の上下方向受衝部45に衝突して、傾動部材30と係合子41の係合が解除される。また、物品収納棚１の震動が所定よりも小さい場合には、錘部52の振幅が所定幅よりも小さく、上下方向感震部51が係合子41に衝突することがなく、棚収納物品落下防止装置10の誤作動の発生が起こることがない。さらに、上下方向感震部51が係合子41に半衝突する場合にも、同様に誤作動が発生することがない。また、物品収納棚１の震動が所定よりも大きい場合には、錘部52の振幅が大きくなり、上下方向感震部51が係合子41の上下方向受衝部45に衝突し、確実に上下方向の震動を感知して、棚収納物品落下防止装置10を作動することができる。さらに、上下方向感震部51の錘部52等の構成を変更して、物品収納棚１が受ける震動に対する錘部52の振幅を設定できるので、棚収納物品落下防止装置10が作動する感度を所望する感度に設定することが容易であり、さらに精度良く確実に物品の落下を防ぐことができる。
【００５３】
さらに、本実施形態の棚収納物品落下防止装置10では、錘支持部材53は、弾性部材の板バネ部53ａが用いられ、該錘支持部材53は、固定部53ｂで箱体11内部に片持ち状に支持され、錘部52は、錘支持部材53の固定部53ｂと反対側の開放側端部53ｄに設けられているので、上下方向の震動が所定以上になると、錘部52の上下方向の振動がより増幅され、上下方向の震動をより感度良く感知するとともに誤作動が防止され、さらに確実に物品の落下を防ぐことができる。
【００５４】
また、感震部50は、水平方向の震動を感知すると係合支持機構40の係合を解く水平方向感震部60を備えているので、上下方向の震動が所定以上に大きくならず上下方向感震部51が作動しない場合であっても、水平方向の震動が発生した際に、水平方向感震部60により震動を感知して、感震部50が作動して、係合支持機構40の係合が解除されて、傾動部材30が搖動して水平バー28が上昇し、棚収納物品落下防止装置が落下防止状態となり、物品収納棚１に収納された物品の落下を確実に防止することができる。
【００５５】
さらにまた、水平方向感震部60は、物品収納棚１の震動により揺動する振り子61を備え、地震の発生により水平方向の震動によって、振り子61が揺動して係合子41に衝突すると、傾動部材30と係合子41の係合が解除されるようになっているので、振り子61により水平方向の震動をより確実に感知することができ、水平方向の震動の大きさに合わせて精度良く感震部50を作動させ、確実に物品の落下を防止することができる。
【００５６】
また、棚収納物品落下防止装置10が作動して落下防止状態となったのち、平常状態に戻すにあたっては、水平バー28を下方に押し下げれば、傾動部材30の係合部34により係合子41が押し下げられた後、係合子41は、上下方向受衝部45の自重でストッパー部47が箱体11の係合子ストッパー部18に当接するまで回動して停止するので、棚収納物品落下防止装置10を平常状態に戻すことが容易にできて操作性が良い。
【００５７】
次に本発明の第２の実施形態の棚収納物品落下防止装置70について、図１０に基づいて説明する。第２の実施形態の棚収納物品落下防止装置70と、第１の実施形態の棚収納物品落下防止装置10と異なる点は、第１の実施形態に用いられた上下方向感震部51と異なる上下方向感震部71が用いられている点であって、他の構成は同一であるので、第２の実施形態の他の同一の構成については、第１の実施形態のものと同一の符号を用いて説明する。
【００５８】
第１の実施形態に用いられる上下方向感震部51は、板バネを用いた錘支持部材53の一端の開放側端部53ｄに錘部52が固着され、錘支持部材53の他端側の固定部53ｂが箱体11に固定されて、片持ち状に箱体11に支持されたものであって、錘部72の上下方向の振幅により上下方向の震動を感知するものであった。本第２の実施形態に用いられる上下方向感震部71は、側面視において略台形状の錘部72を備え、該錘部72の中央に上下方向に長い長方形状に、錘部72を支持するための支持部材挿通孔としての軸挿通孔73が設けられている。箱体11には、錘部72を支持する錘支持部材として、側面視の形状が長方形であって、軸挿通孔73の幅より若干狭い幅の横長に形成された錘部挿通軸74が設けられている。該錘部挿通軸74は箱体11の左右方向に指向しており、錘部52の軸挿通孔73に錘部挿通軸74が挿通されて、錘部52は箱体11に上下方向に移動可能に取り付けられている。
【００５９】
このような棚収納物品落下防止装置70が取り付けられた物品収納棚１が上下方向の震動を受けると、錘部52が上下方向に振動して錘部72の上面72ａが係合子41の上下方向受衝部45に衝突して、係合子41が回動され、傾動部材30の第１水平切欠部34ｂから係合子41の係合支持部44が外れ、係合支持機構40の係合が解除されて、棚収納物品落下防止装置70は、落下防止状態となる。
【００６０】
第２の実施形態の棚収納物品落下防止装置70では、錘部72は、錘部挿通軸74が挿通される軸挿通孔73を有し、軸挿通孔73に挿通された錘部挿通軸74により上下方向に移動可能に支持されているので、上下方向の震動が発生すると、錘部72が上下方向に振動して、上下方向感震部71が上下方向の震動を感知して適切に作動し、簡易な構造で物品の落下を防止することができる。さらに、上下方向感震部71は、箱体11の内部に収容されているので、物品の出し入れの際の誤作動を防止することができる。また、上下方向感震部71の錘部72の重量や、錘部72と傾動部材30の上下方向受衝部45との間隔を調整することで、所望する上下方向の震動の大きさに反応する感度に調整することが容易となり、精度良く物品の落下を防ぐことができる。
【符号の説明】
【００６１】
１…物品収納棚、２…支柱、３…天板、４…台座、５…棚板、６…棚段、７…棚連、８…背板、９…固定金具、
10…棚収納物品落下防止装置、11…箱体、12…長孔、13…固定突起部、14…傾動部材枢支軸、15…スプリング掛止軸、16…係合子枢支軸、17…振り子枢支軸、18…係合子ストッパー部、19…チェック用孔、20…ボルト孔、21…ネジ孔、22…ボス部、23…ネジ、
28…水平バー、29…ネジ、
30…傾動部材、31…本体部、32…アーム部、33…スプリング取付部、34…係合部、37…スプリング、
40…係合支持機構、41…係合子、42…本体部、43…枢支軸挿通孔、44…係合支持部、45…上下方向受衝部、46…水平方向受衝部、47…ストッパー部、
50…感震部、51…上下方向感震部、52…錘部、53…錘支持部材、53ａ…板バネ部、53ｂ…固定部、53ｃ…ボルト挿通孔、53ｄ…開放側端部、54…ボルト、
60…水平方向感震部、61…振り子、62…錘部、63…アーム部、
70…棚収納物品落下防止装置、71…上下方向感震部、72…錘部、73…軸挿通孔、74…錘部挿通軸。
【図１】
0006531015.tif 000002
【図２】
0006531015.tif 000003
【図３】
0006531015.tif 000004
【図４】
0006531015.tif 000005
【図５】
0006531015.tif 000006
【図６】
0006531015.tif 000007
【図７】
0006531015.tif 000008
【図８】
0006531015.tif 000009
【図９】
0006531015.tif 000010
【図１０】
0006531015.tif 000011